(57)【要約】【課題】ピーク電流制御方式によりＬＥＤの調光を行っても色度が変化することなく、色度を一定に保つ。【解決手段】  発光素子３と、発光素子３が発した光を検知する光量検出手段６と、光量検出手段６の出力である検出値および調光率に応じて予め設定された調光目標値が入力され、検出値と調光目標値の比較結果に基づき調光信号を出力する調光手段１２と、調光信号が入力され、発光素子３に供給される駆動電流の最大振幅値を変化させて発光素子３を制御する制御手段１４とを有する制御部８と、を具備し、調光手段１２は、発光素子３に供給される駆動電流の最大振幅値および発光素子３のピーク波長の関係に基づきさらに調光される手段を有する。【選択図】図３
2011009117.tif 000002
【特許請求の範囲】
【請求項１】
発光素子と、
前記発光素子が発した光を検知する光量検出手段と、
前記光量検出手段の出力である検出値および調光率に応じて予め設定された調光目標値が入力され、前記検出値と前記調光目標値の比較結果に基づき調光信号を出力する調光手段と、前記調光信号が入力され、前記発光素子に供給される駆動電流の最大振幅値を変化させて前記発光素子を制御する制御手段とを有する制御部と、を具備し、
前記調光手段は、前記発光素子に供給される前記駆動電流の前記最大振幅値および前記発光素子のピーク波長の関係に基づきさらに調光される手段を有することを特徴とする発光装置。
【請求項２】
前記制御部は、前記発光素子に供給される前記駆動電流の前記最大振幅値を変化させることによって、前記発光素子を調光し、さらに、前記発光素子に供給される前記駆動電流のパルス幅を制御することによって前記発光素子を調光することを特徴とする請求項１に記載の発光装置。
【請求項３】
前記発光素子は、少なくとも緑色の光を発する発光素子であることを特徴とする請求項１ないし２のいずれかに記載の発光装置。
【請求項４】
発光素子と、光量検出手段と、を備えた発光装置の制御方法であって、
前記光量検出手段によって、前記発光素子が発した光を検知するステップと、
調光率に応じて予め設定された調光目標値を取得するステップと、
前記発光素子に供給される駆動電流の最大振幅値を変化させて前記発光素子の調光を行う場合に、前記光量検出手段の出力である検出値および前記調光目標値との比較結果に基づいて、前記発光素子を調光する調光ステップと、を含み、
前記調光ステップは、前記発光素子に供給される前記駆動電流の前記最大振幅値および前記発光素子のピーク波長の関係に基づきさらに調光することを含む発光装置の制御方法。
【発明の詳細な説明】
【技術分野】
【０００１】
本発明は、発光装置およびその制御方法に関する。
【背景技術】
【０００２】
近年、ＬＥＤ（発光ダイオード：Light Emitting Diode）などの固体発光素子からの出射光を用いて面発光させる面照明装置を用いたバックライト装置などが注目されている。ＬＥＤを光源として用いる面照明装置は、ＬＥＤの発光効率向上による省エネルギー性、水銀などを含まない環境調和性、長寿命性、軽薄性の優位性があるので、バックライト装置として構成するのに有効である。そのため、液晶ディスプレイ（ＬＣＤ：Liquid Crystal Display）のバックライト装置（ＢＬＵ：Back Light Unit）には、水銀を使用する冷陰極管（ＣＣＦＬ：Cold Cathode Fluorescent Lamp）に代わってＬＥＤが用いられることが検討されている。
【０００３】
液晶ディスプレイのバックライト装置では、複数の発光素子からの光を面状に変換する方式として、バックライト装置の発光面のサイドから導光板に入光させる導光板方式（サイドライト方式）や、一次元状（リニア状）もしくは二次元状（マトリックス状）に並べた複数のＬＥＤの上方に拡散板を設置して光を拡散させる直下方式が主流である（例えば、特許文献１参照）。
【０００４】
図９は、直下方式の面照明装置の例を示す斜視図である。図９に示す直下方式の面照明装置１００は、複数のＬＥＤパッケージ１０１を二次元状（すなわちマトリックス状）に並べて構成した二次元ＬＥＤアレイ１０２の上方に、拡散板および光学シート１０３を設置して構成している。図９において、底面の基板上に設置された二次元ＬＥＤアレイ１０２から出射された光が、光学シート１０３を介して面上に出射するため面状の発光面が得られる。
【０００５】
また、バックライト装置においては、一定の輝度を得るために、従来より、ＬＥＤが発する光の光量（光束）を一定条件で点灯する制御方法が用いられている。ＬＥＤの光束を一定条件とする制御方法としては、主としてＬＥＤに供給するピーク電流（パルス波の最大振幅値）を制御するピーク電流制御方式と、主としてＬＥＤに供給する電流のパルス幅を変調するパルス幅変調（Pulse Width Modulation）制御方式（以下、ＰＷＭ制御方式と称す）とがある。
【０００６】
また、この種の制御方法を用いた関連技術としては、バックライト装置内に設置したカラーセンサによって、光源として赤、緑、青色の各ＬＥＤからの光を検出し、この検出結果に基づいて、所望の輝度を一定に保つようにＬＥＤの駆動電流を制御する制御方法が提案されている。例えば、特許文献２に開示されているように、所定のスペクトル分布を生成する半導体照明装置であって、複数の発光ダイオードと、該発光ダイオードからの入射光を測定するカラーセンサとしてのフォトセンサとを備え、フォトセンサの出力を前記所定のスペクトル分布と比較する比較手段と、該比較手段に接続され、フォトセンサの出力が前記所定の分布と一致するようにドライバ手段を調節する調節手段とを備えた半導体照明装置がある。
【先行技術文献】
【特許文献】
【０００７】
【特許文献１】特開２００５−３１６３３７号公報
【特許文献２】特開２００１−３３２７６４号公報
【発明の概要】
【発明が解決しようとする課題】
【０００８】
カラーセンサを用いてＬＥＤを点灯制御する際に、ピーク電流を増減させて調光すると、ＬＥＤの出射光のピーク波長が変化する。そのため、調光時にピーク波長が変化すると、既定の波長帯域に感度分布を有するカラーセンサの出力値に誤差が生じてしまうため、結果として、発光面の色度が一定に保てないといった問題があった。
【０００９】
前記特許文献２に記載のバックライト装置では、単にフォトセンサの測定結果を使用して、異なるカラーＬＥＤへの電流を変化させて、スペクトル内容を制御する制御方法しか述べられてはおらず、前記課題の認識はない。
【００１０】
本発明は、前記問題点に鑑みてなされたもので、ピーク電流制御方式によりＬＥＤの調光を行ってもバックライトとして色度が変化することなく、色度を一定に保つことができる発光装置およびこの発光装置の制御方法を提供することを目的とする。
【課題を解決するための手段】
【００１１】
本発明に係る発光装置は、発光素子と、前記発光素子が発した光を検知する光量検出手段と、前記光量検出手段の出力である検出値および調光率に応じて予め設定された調光目標値が入力され、前記検出値と前記調光目標値の比較結果に基づき調光信号を出力する調光手段と、前記調光信号が入力され、前記発光素子に供給される駆動電流の最大振幅値を変化させて前記発光素子を制御する制御手段とを有する制御部と、を具備し、前記調光手段は、前記発光素子に供給される前記駆動電流の前記最大振幅値および前記発光素子のピーク波長の関係に基づきさらに調光される手段を有することを特徴とする。
【００１２】
また、本発明に係る発光装置の制御方法は、発光素子と、光量検出手段と、を備えた発光装置の制御方法であって、前記光量検出手段によって、前記発光素子が発した光を検知するステップと、調光率に応じて予め設定された調光目標値を取得するステップと、前記発光素子に供給される駆動電流の最大振幅値を変化させて前記発光素子の調光を行う場合に、前記光量検出手段の出力である検出値および前記調光目標値との比較結果に基づいて、前記発光素子を調光する調光ステップと、を含み、前記調光ステップは、前記発光素子に供給される前記駆動電流の前記最大振幅値および前記発光素子のピーク波長の関係に基づきさらに調光することを含む。
【発明の効果】
【００１３】
本発明の発光装置およびこの発光装置の制御方法によれば、ピーク電流制御方式によりＬＥＤの調光を行ってもバックライトとして色度が変化することなく、色度を一定に保つことができる。
【図面の簡単な説明】
【００１４】
【図１】本発明の第１の実施の形態に係る発光装置の構成を示す分解斜視図。
【図２】カラーセンサの受光感度を示す波長特性図。
【図３】図１のＬＥＤ制御部の構成を示すブロック図。
【図４】緑色のＬＥＤ３の調光率２０％および調光率１００％の発光スペクトル分布図。
【図５】調光率およびカラーセンサ検出値ならびに調光目標値との関係を示すグラフ。
【図６】本実施の形態の動作を説明するもので、ＬＥＤを制御する処理を示すフローチャート。
【図７】本発明の第２の実施の形態に係る発光装置の動作を説明するもので、ＬＥＤを制御する処理を示すフローチャート。
【図８】本発明の第３の実施の形態に係る発光装置の動作を説明するもので、ＬＥＤを制御する処理を示すフローチャート。
【図９】従来の直下方式の面照明装置の例を示す斜視図。
【発明を実施するための最良の形態】
【００１５】
以下、図面を参照して本発明の実施の形態について説明する。
【００１６】
（第１の実施の形態）
図１は、本発明の第１の実施の形態に係る発光装置の構成を示す分解斜視図である。
【００１７】
図１に示すように、本実施の形態の発光装置は、例えばバックライト装置１として構成される。このバックライト装置１は、ユニットケース２、フロントフレーム２Ａ、発光素子として複数のＬＥＤ３、ＬＥＤ実装基板４、光学シート５、光量検出手段の一形態であるカラーセンサ６およびＬＥＤ制御部８を有して構成される。
【００１８】
ユニットケース２の内部には、複数のＬＥＤ３、ＬＥＤ実装基板４、光学シート５およびカラーセンサ６が収納され、ユニットケース２の上部にはフロントフレーム２Ａが固定される。
【００１９】
ユニットケース２内部には、赤色（Ｒ）、緑色（Ｇ）、青色（Ｂ）にそれぞれ単色発光する複数のＬＥＤ３が設けられている。複数のＬＥＤ３は、直線状にＬＥＤ実装基板４上に実装される。そして、複数のＬＥＤ実装基板４は、ユニットケース２の底部に並べて設置される。このユニットケース２には、複数のＬＥＤ３の出射光の強度を検出するカラーセンサ６が設けられている。
【００２０】
フロントフレーム２Ａには、光学シート５が取り付けられている。この光学シート５は、例えば第１の拡散板５Ａ、２枚の拡散シート５ａ、５ｂによりレンズシート５ｃが配置された第２の拡散板５Ｂとを有して構成される。つまり、フロントフレーム２Ａの上面がバックライト装置１の発光面２Ｃを形成する。
【００２１】
また、ユニットケース２の外部には、ＬＥＤ制御部８が設けられている。このＬＥＤ制御部８は、接続線７ａ、７ｂを介してＬＥＤ３およびカラーセンサ６にそれぞれ接続されている。
【００２２】
ユニットケース２の内壁は、例えば白色反射シートなどの反射部材で覆われており、ユニットケース２の底部に配置されたＲ、Ｇ、Ｂの各ＬＥＤ３からの出射光をユニットケース２内で十分混色し、発光面２Ｃから出射する。
【００２３】
光源として用いるＬＥＤ３の発光スペクトルについて説明すると、赤色のＬＥＤ３は、例えば波長６１０〜６５０ｎｍにピークがあるものを使用する。また、緑色のＬＥＤ３は、例えば波長５１５〜５３５ｎｍにピークがあるものを使用し、青色のＬＥＤ３は、例えば波長４４０〜４７０ｎｍにピークがあるものを使用する。
【００２４】
光源の形態としては、Ｒ、Ｇ、Ｂの各発光素子をそれぞれパッケージングして単色発光するＬＥＤ３としてもよいし、複数の発光素子を１つにパッケージングして多色発光するＬＥＤ３としてもよい。また、ＬＥＤ実装基板４に発光素子を直接実装しても良い。なお、Ｒ、Ｇ、Ｂの各ＬＥＤ３の数量や配置場所は、所望の白色色度が得られるように予め決定される。
【００２５】
カラーセンサ６は、光量を検出する手段の一形態であり、例えばシリコン製などのフォトダイオードで構成され、ユニットケース２の背面側または側面側の内周面に設置される。カラーセンサ６は、図２に示すような波長感度特性（図２において、点線はＢ、実線はＧ、一点鎖線はＲを示す）を有するＲ、Ｇ、Ｂの各フォトダイオードを一体化させて組成することができる。なお、カラーセンサ６は、Ｒ、Ｇ、Ｂの各フォトダイオードのそれぞれを近接させて配置するものでもよい。Ｒ、Ｇ、Ｂのそれぞれに対応するフォトダイオードは、例えばフォトダイオードの受光部にカラーフィルタを形成することで、他色の入光を排除することができる。例えば、赤色光を検知するフォトダイオードの場合は、青色光および緑色光を排除するカラーフィルタをフォトダイオードの受光部に形成する。
【００２６】
次に、ＬＥＤ制御部８の構成について、図３を用いて説明する。図３は、図１のＬＥＤ制御部８の構成を示すブロック図である。
【００２７】
ＬＥＤ制御部８は、カラーセンサ検出部１０、比較演算処理部１２を有する調光手段１１、記憶部の一形態であるメモリ１３およびＬＥＤ制御手段１４を有して構成される。
【００２８】
カラーセンサ検出部１０は、カラーセンサ６が受光したＬＥＤ３のＲ、Ｇ、Ｂそれぞれの発光強度を検出し、Ａ／Ｄ変換回路によりアナログ値からデジタル値へと変換して、カラーセンサ出力を検出値として調光手段１１に出力する。
【００２９】
調光手段１１は、バックライト装置１全体の動作を制御する。また、調光手段１１には、ＬＥＤ３の調光率に応じて予め一意的に設定されたカラーセンサ検出部１０の調光目標値および調整値が記憶されたメモリ１３が接続されている。また、調光目標値は、ＬＥＤ３のピーク電流値およびＬＥＤ３が発する光のピーク波長に基づき設定されるようになっている。
【００３０】
比較演算処理部１２には、調光率が入力され、調光率に対応する調光目標値をメモリ１３から取得して、カラーセンサ検出値および調光目標値を比較して、比較した結果に基づいて調光信号をＬＥＤ制御手段１４に出力する。
【００３１】
ＬＥＤ制御手段１４は、調光手段１１より出力された調光信号に基づいてＬＥＤ３を制御する。
【００３２】
次に、本実施の形態のバックライト装置の動作について、図４〜６を用いて説明する。図４は、緑色のＬＥＤ３をピーク電流制御で点灯させたときの調光率２０％および調光率１００％のスペクトル分布図である。図４において、横軸は波長、縦軸は相対強度である。また、実線５０が調光率１００％を示し、点線５１が調光率２０％を示している。図４から明らかであるとおり、調光率１００％のときのピーク波長は５２４ｎｍ、調光率２０％のピーク波長は５２９ｎｍとなり、ピーク波長がシフトした状態を示している。すなわち、調光率１００％から２０％に変更すると、ピーク波長は長波長側に５ｎｍシフトし、逆に調光率２０％から１００％に変更すると、ピーク波長は短波長側に５ｎｍシフトする。
【００３３】
また、図５は、調光率およびカラーセンサ検出値ならび調光目標値の関係を示すグラフである。図５において、横軸は調光率、縦軸はセンサ出力値である。また、実線が調光率およびカラーセンサ検出値の関係を示し、点線が調光率および調光目標値の関係を示している。
【００３４】
また、図６は、ＬＥＤ３を制御する処理を示すフローチャートである。
【００３５】
図６に示すフローチャートにおいて、ＬＥＤ制御部８は、ステップＳ１の処理により、ＬＥＤ制御手段１４を制御して、ＬＥＤ３の調光を行う。この場合、ＬＥＤ制御部８は、図示しない操作部からの調光操作に対応する操作信号に基づいて、ＬＥＤ制御手段１４によりＬＥＤ３の駆動電流の最大振幅値を制御することにより、ＬＥＤ３の調光を行う。なお、ＬＥＤ制御手段１４は、どのようにＬＥＤ３の調光率を変化させても、常にＬＥＤ３のＲ、Ｇ、Ｂの各色の光束の比率が一定となるよう、ＬＥＤ３を駆動する。
【００３６】
つぎに、調光手段１１は、ステップＳ２において、カラーセンサ検出部１０により、カラーセンサ出力値を検出してカラーセンサ検出値を得る。これにより、カラーセンサ検出値が調光手段１１に入力される。
【００３７】
ここで、例えば、図示しない操作手段、例えばボリュームなど、によりピーク電流制御で点灯しているＬＥＤ３の光束を変化させる調光操作があったとする。例えば、調光率１００％から、調光率２０％への操作があったとすると、図４に示すように、ＬＥＤ３のピーク波長は長波長側にシフトする。そのため、既定の波長域に感度特性（図２参照）を有するカラーセンサ検出値は、ＬＥＤ３のピーク波長がシフトすることで、ＬＥＤ３のピーク波長がシフトしないときと比べて差が生じてしまう。具体的には、調光率１００％から調光率２０％に調光した場合、調光率１００％と調光率２０％では、ピーク波長が５２４ｎｍから５２９ｎｍにシフトしてしまう。そのため、見かけ上はＲ、Ｇ、Ｂの各色のＬＥＤ３の光束の比率が調光前後で一致していても、カラーセンサ検出値は調光目標値と異なる可能性がある。カラーセンサ検出値が調光目標値と異なっていると、Ｒ、Ｇ、Ｂの各色のＬＥＤ３の光束の比率を変化させてでもカラーセンサ検出値を調光目標値と一致させるようにＬＥＤ制御部８はＬＥＤ３を駆動させるため、結果、色度を一定に保つことができなくなる。例えば、この場合、特に緑色のＬＥＤ３では、ピーク波長のシフトが顕著であるため、調光した状態では完全な白色光を得ることができなくなる。
【００３８】
そこで、本実施の形態では、ＬＥＤ３のピーク波長のシフトをあらかじめ加味して、ピーク波長のシフトによりカラーセンサ検出値が変化しても、あたかもピーク波長がシフトしていない状態と同様とするための補正を行い、結果色度を一定に保つ。
【００３９】
この補正の一例としては、例えば、後述するステップＳ３、Ｓ４の処理で行う。すなわち、調光手段１１は、続くステップＳ３の処理により、調光率に応じて予め一意的に設定された調光目標値および係数Ａを、メモリ１３より取得する。ここで、係数Ａとは、調光率に応じて予め一意的に設定されている、カラーセンサ検出値を補正するための調整値である。そして、ＬＥＤ制御部８は、続くステップＳ４の処理により、比較演算処理部１２において、係数Ａを用いて、カラーセンサ検出値を補正する。具体的には、例えば、カラーセンサ検出値をｘ、補正されたカラーセンサ検出値をｙとすると、係数Ａを用いて、
ｙ＝Ａｘ  …（式１）
となる。
【００４０】
この場合、補正されたカラーセンサ検出値ｙをカラーセンサ検出値とみなす。このように、ＬＥＤ制御部８は、ステップＳ４において、カラーセンサ検出値ｘおよびメモリ１３より取得した係数Ａを元に算出した結果に基づき、カラーセンサ検出値ｘを補正する。
【００４１】
その後、調光手段１１は、ステップＳ５の判断処理を行うことにより、所望の輝度を得るためのフィードバック制御、すなわち、補正されたカラーセンサ検出値ｙが、調光目標値と一致するようにＬＥＤ３を制御する。具体的には、調光手段１１は、ステップＳ５において、補正されたカラーセンサ検出値ｙおよびメモリ１３から読み出された調光目標値とが一致しているか否かを判断する。補正されたカラーセンサ検出値ｙおよび調光目標値が一致してないものと判断した場合、調光手段１１は、再度調光を行うために、処理をステップＳ１に戻す。一方、補正されたカラーセンサ検出値ｙおよび調光目標値が一致したものと判断した場合、調光手段１１は、所望の輝度が得られているものと判断して、処理を終了する。
【００４２】
ここで、特許文献２には、所定のスペクトル分布を生成するために、フォトセンサの出力を前記所定のスペクトル分布と比較する比較手段と、該比較手段に接続され、フォトセンサの出力が前記所定の分布と一致するようにドライバ手段を調節する調節手段とを備えると記載されている。ところが、上記従来の構成では、駆動電流の最大振幅値を増減させて調光した際に生じるＬＥＤの出射光のピーク波長のシフトという現象が加味されていないため、結果バックライト装置の出射光の色度が変化する場合がある。
【００４３】
しかしながら、本実施の形態によれば、駆動電流の最大振幅値を変えることによって、ＬＥＤ３を調光しても、予めＬＥＤ３が発する光のピーク波長のシフトを見越してカラーセンサ検出値を補正し、補正されたカラーセンサ検出値と調光目標値とを比較して調光を行うため、上記のような色度の変化を防ぐことができる。
【００４４】
また、本実施の形態では、ピーク波長のシフトは、緑色のＬＥＤ３に特に顕著に生じる現象であるため、緑色のＬＥＤ３に対して本実施の形態における制御を適用し、他の色（赤色、青色）のＬＥＤ３については、白色を作るための既定のカラーセンサ検出値の比率に基づいてそれぞれ調光するという手法を採用すれば、回路構成を簡略化することが可能である。
【００４５】
なお、ピーク電流制御方式で調光制御を行っているときに、さらに駆動パルス幅を制御するようにＬＥＤ制御手段１４を制御するようにしてもよい。例えば、補正されたカラーセンサ検出値が調光目標値と一致しない場合でも、ＬＥＤ３の駆動電流の最大振幅値が変化しないように、駆動パルス幅の制御が行われるようにしてもよい。
【００４６】
したがって、第１の実施の形態によれば、ピーク電流制御方式によりＬＥＤ３の調光を行っても色度が変化することなく、色度を一定に保つことができる発光装置としてのバックライト装置１の実現が可能となる。
【００４７】
（第２の実施の形態）
図７は、本発明の第２の実施の形態に係る発光装置の動作を説明するもので、ＬＥＤ３を制御する処理を示すフローチャートである。この第２の実施の形態の発光装置は、第１の実施の形態の発光装置と略同一に構成されているが、メモリ１３に記憶された調整値およびＬＥＤ制御部８によるＬＥＤ３の駆動方法のみが異なり、他は同一であるため、同一部分には同一符号を付し、その説明を省略する。
【００４８】
第２の実施の形態では、メモリ１３には、ＬＥＤ３の調光率に応じて予め設定されたカラーセンサ６の調光目標値および調整値として係数Ｂが記憶されている。
【００４９】
比較演算処理部１２は、カラーセンサ検出値が入力されるとともに、ＬＥＤ３の調光率に応じて予め設定された調光目標値および係数Ｂをメモリ１３から取得する。次いで、係数Ｂを用いて調光目標値を補正して、カラーセンサ検出値および補正された調光目標値の比較結果を調光信号としてＬＥＤ制御手段１４に出力する。
【００５０】
この補正の一例としては、例えば、図８に示すプログラムを実行することにより行う。すなわち、調光手段１１は、ステップＳ１３の処理により、ＬＥＤ３の調光率に応じて予め一意的に設定された調光目標値および係数Ｂを、メモリ１３より取得する。
【００５１】
次に、調光手段１１は、続くステップＳ１４の処理により、係数Ｂを用いて調光目標値を補正する。
【００５２】
その後、調光手段１１は、ステップＳ１５の判断処理にて、カラーセンサ検出値および補正された調光目標値が一致しているか否かを判断する。カラーセンサ検出値および補正された調光目標値が一致してないものと判断した場合、調光手段１１は、再度調光を行うために、処理をステップＳ１に戻す。一方、補正された調光目標値およびカラーセンサ検出値が一致したものと判断した場合、調光手段１１は、所望の輝度が得られているものと判断して、処理を終了する。
【００５３】
上述したように、本実施の形態では、発光装置１の目標輝度に合わせて、調光目標値が補正されるので、ピーク電流制御によるＬＥＤ３のピーク波長シフトを加味した状態でカラーセンサ検出値および調光目標値を比較することができるため、結果として色度を一定に保つことが可能となる。
【００５４】
したがって、第２の実施の形態によれば、前記第１の実施の形態と同様の効果が得られる。
【００５５】
（第３の実施の形態）
図８は、本発明の第３の実施の形態に係る発光装置の動作を説明するもので、ＬＥＤを制御する処理を示すフローチャートである。
【００５６】
第３の実施の形態の発光装置は、第１の実施の形態の発光装置と略同様に構成されているが、メモリ１３に記憶された調整値およびＬＥＤ制御部８による駆動方法が異なっている。
【００５７】
第３の実施の形態では、メモリ１３には、ＬＥＤ３の調光率に応じて予め一意的に設定されたカラーセンサ検出値ならびに調光目標値の差分Ｃ、および調光目標値が記憶されている。
【００５８】
比較演算処理部１２は、カラーセンサ検出値が入力され、入力されたカラーセンサ検出値と調光目標値との差を算出し、算出したカラーセンサ検出値ならびに調光目標値の差および差分Ｃを比較し、この比較結果を調光信号としてＬＥＤ制御手段１４に出力する。
【００５９】
この補正の一例としては、例えば、図８に示すプログラムを実行することにより行う。すなわち、調光手段１１は、ステップＳ２３の処理により、ＬＥＤ３の調光率に応じて差分Ｃおよび調光目標値をメモリ１３より取得する。
【００６０】
次に、調光手段１１は、続くステップＳ２４の処理により、比較演算処理部１２によって、入力されたカラーセンサ検出値と調光目標値との差を算出する。
【００６１】
その後、調光手段１１は、ステップ２５Ｓの判断処理にて、カラーセンサ検出値ならびに調光目標値の差、および、メモリ１３より取得した差分Ｃが一致しているか否かを判断する。
【００６２】
カラーセンサ検出値ならびに調光目標値の差、および、差分Ｃが一致してないものと判断した場合、調光手段１１は、再度調光を行うために、処理をステップＳ１に戻す。一方、カラーセンサ検出値ならびに調光目標値の差、および、メモリ１３より取得したの差分Ｃが一致したものと判断した場合、調光手段１１は、所望の輝度が得られているものと判断して、処理を終了する。
【００６３】
上述したように、本実施の形態では、バックライト装置１の目標輝度に合わせて、ＬＥＤ３のピーク波長がシフトしてカラーセンサ検出値および調光目標値に差が生じても、あらかじめカラーセンサ検出値および調光目標値の差分を対象としてメモリ１３より読み出した差分Ｃと比較することができるため、調光によるピーク波長のシフトをあらかじめ見越したこととなり、結果として色度を一定に保つことが可能となる。
【００６４】
従って、第３の実施の形態によれば、前記第１の実施の形態と同様の効果が得られる。
【００６５】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【００６６】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００６７】
また、上記実施の形態においては、ＬＥＤ３をバックライト装置１の全面に配置した直下方式のバックライト装置について説明したが、バックライト装置のエッジ部にＬＥＤを配置し、導光板を介して照明する導光板方式のバックライト装置であってもよい。
【００６８】
また、光量検出手段は、カラーセンサ６に限定されず、例えば光電子倍増管やＣＣＤ（Charge Coupled Device：電荷結合素子）などの受光素子を利用してもよい。
【００６９】
また、カラーセンサ検出部１０、調光手段１１、比較演算処理部１２、メモリ１３およびＬＥＤ制御手段１４の機能は、マイコンやＩＣなどに複合化してもよい。
【００７０】
また、調整値である係数Ａ、係数Ｂ、差分Ｃは、比較演算処理部１２による演算処理で算出されたものであってもよい。
【符号の説明】
【００７１】
１…バックライト装置（発光装置）、
２…ユニットケース、
２Ａ…フロントフレーム、
２Ｃ…発光面、
４…ＬＥＤ実装基板、
５…光学シート、
５Ａ…第１の拡散板、
５Ｂ…第２の拡散板、
５ａ、５ｂ…拡散シート、
５ｃ…レンズシート、
６…カラーセンサ、
７ａ…接続線、
８…ＬＥＤ制御部、
１０…カラーセンサ検出部、
１１…調光手段、
１２…比較演算処理部、
１３…メモリ、
１４…ＬＥＤ制御手段。
【図１】
2011009117.tif 000003
【図２】
2011009117.tif 000004
【図３】
2011009117.tif 000005
【図４】
2011009117.tif 000006
【図５】
2011009117.tif 000007
【図６】
2011009117.tif 000008
【図７】
2011009117.tif 000009
【図８】
2011009117.tif 000010
【図９】
2011009117.tif 000011